(57)【特許請求の範囲】
【請求項１】
柄(11)と、
柄(11)に設けられているハンマ本体(12)と、
を備えており、
上記ハンマ本体(12)は、
先部が本質的に尖っており、内部には基部側から先端部近傍まで収容空間部(133)が設けられている施術体(13)と、
収容空間部(133)に装着される伝熱部材(15)と、
収容空間部(133)内部で伝熱部材(15)によって保持されている電気ヒータ(16)と、
収容空間部(133)の先端部に充填されている伝熱材と、
伝熱材に触れるように、または含まれるようにして配置されている温度センサ(17)と、
を備えており、
伝熱部材(15)は、電気ヒータ(16)を装着する装着孔を有する円筒形状であり、軸線方向と平行に貫通する複数の通孔(152)が設けられており、通孔(152)内部には絶縁管が設けられ、絶縁管に温度センサ(17)の電線(170)が通されていることを特徴とする、
電気温灸器用ハンマ。
【請求項２】
収容ケース(5)と、
請求項１記載の電気温灸器用ハンマと、
を備えており、
収容ケース(5)は、
電源スイッチ(551)と、
ハンマ本体(12)の施術部(131)の温度を設定する温度設定部と、
施術部(131)の温度を表示する温度表示部(553)と、
施術部(131)の温度を設定温度に保つように制御する温度制御装置と、
治療時間の設定をする時間設定部と、
治療の経過時間を表示する時間表示部(556)と、
設定時間が経過したときに報知する終了報知部と、
を備えていることを特徴とする、
電気温灸器。
【発明の詳細な説明】
【０００１】
【発明の属する技術分野】
本発明は、電気温灸器用ハンマ及びそれを備えた電気温灸器に関する。更に詳しくは、電気温灸器用ハンマにおいて、先端部の施術部の温度制御における熱応答が迅速であり、温度の制御を正確に行うことによって、治療において施術部の温度を段階的に徐々に上げて身体を慣らしていくことが容易にできるものに関する。
【０００２】
【従来技術】
ヒトなどの生体においては、末梢神経がある刺激を受け、その刺激が情報のインパルスとして中枢神経に伝達され、中枢神経が末梢神経へそれに応える命令のインパルスとして返すことによって、生命の維持が行われている。
【０００３】
これらインパルスの伝達は、自律神経によって生体の意志とは無関係に行われているが、ストレスなどにより自律神経が失調をきたすと、インパルスの伝達が正常に行われなくなり、たちまち病気になってしまう。
このような自律神経失調症の有効な治療手段として、末梢神経が集中する皮膚に刺激を与えて、人為的に中枢神経にインパルスを伝達し、働きが悪くなっている神経の正常化を図る方法が、近年大きな効果をあげており、注目されている。
【０００４】
電気ヒータを内蔵するハンマを備えた電気温灸器は、上記治療に使用されるものである。ハンマを使用した治療は次のように行われる。
まず、電気ヒータへ通電によりハンマの先端部を所定温度に加熱し、その加熱された先端部で身体の皮膚面を叩いて、皮膚に熱刺激と叩きによる刺激を同時に与える。これを全身の皮膚に対して行うことにより、上記したように神経の正常化が図られる。
【０００５】
このような電気ヒータを内蔵するハンマを備えた電気温灸器としては、実用新案登録第３０７２３８２号公報に記載されたものがある。
当該公報に記載されたハンマの構造を図６に示す。
施術部となる針状部３５は胴部２１ｂ先端の透孔３１から突出させてある。針状部３５を有する伝熱体２２は、後部側の内部に絶縁シールド材２９を介在させて収容されている電気ヒータ２３で加熱される。電気ヒータ２３の近傍には温度センサ２８が設けられている。
【０００６】
しかしながら、上記公報記載の従来の電気温灸器用ハンマ及びそれを備えた電気温灸器には、次のような問題があった。
まず、施術部（皮膚と直接接触する部分）である針状部３５と温度センサ２８が大きく離れており、針状部３５の正確な温度を計ることができず、当然に温度の制御も行うことができない。
【０００７】
また、電気ヒータ２３と伝熱体２２の間に絶縁シールド材２９が介在し、電気ヒータ２３と針状部３５が大きく離れており、なおかつ使用されている電気ヒータ２３は加熱力が弱い直流１２Ｖ用のヒータであることも相まって、迅速に温度を上げることができない。
【０００８】
なお、この針状部３５の温度は、上記治療では重要な意味がある。すなわち、この治療を始めるときには、いきなり高い温度で治療をするよりも、体温よりやや高い程度の温度から徐々に温度を上げていき、身体を慣らしていく方が効果が高いことが経験的にわかっている。
【０００９】
従って、治療の効果を高めるためには、施術部の正確な温度設定と、その温度を正確に保つ制御が要求されるが、従来のハンマの構造では、電源投入時に針状部３５の温度がなかなか上昇せず、施術時には皮膚に熱を奪われて直ぐに温度が下がるので、上記したような温度の設定と制御は困難であり、治療の高い効果は期待できない。
【００１０】
【発明が解決しようとする課題】
本発明が解決しようとする課題は、電気温灸器用ハンマにおいて、先端部の施術部の温度制御における熱応答が迅速であり、温度の制御を正確に行うことによって、治療において施術部の温度を段階的に徐々に上げて身体を慣らしていくことが容易にでき、治療の大きな効果が期待できる電気温灸器用ハンマ及びそれを備えた電気温灸器を提供することである。
【００１１】
【課題を解決するための手段】
上記課題を解決するために講じた本発明の手段は次のとおりである。
第１の発明にあっては、
柄と、
柄に設けられているハンマ本体と、
を備えており、
上記ハンマ本体は、
先部が本質的に尖っており、内部には基部側から先端部近傍まで収容空間部が設けられている施術体と、
収容空間部に装着される伝熱部材と、
収容空間部内部で伝熱部材によって保持されている電気ヒータと、
収容空間部の先端部に充填されている伝熱材と、
伝熱材に触れるように、または含まれるようにして配置されている温度センサと、
を備えており、
伝熱部材は、電気ヒータを装着する装着孔を有する円筒形状であり、軸線方向と平行に貫通する複数の通孔が設けられており、通孔内部には絶縁管が設けられ、絶縁管に温度センサの電線が通されていることを特徴とする、
電気温灸器用ハンマである。
【００１２】
第２の発明にあっては、
収容ケースと、
第１の発明に係る電気温灸器用ハンマと、
を備えており、
収容ケースは、
電源スイッチと、
ハンマ本体の施術部の温度を設定する温度設定部と、
施術部の温度を表示する温度表示部と、
施術部の温度を設定温度に保つように制御する温度制御装置と、
治療時間の設定をする時間設定部と、
治療の経過時間を表示する時間表示部と、
設定時間が経過したときに報知する終了報知部と、
を備えていることを特徴とする、
電気温灸器である。
【００１３】
本発明に係る電気温灸器用ハンマは、温度センサが施術体の先端部寄りに内蔵されており、しかも、収容空間部の先端部に充填され、施術部の温度とほぼ同じ温度になる伝熱材に触れて温度を計るようになっているので、施術部の正確な温度を計ることができる。
【００１４】
伝熱部材は、電気ヒータを装着する装着孔を有する円筒形状であり、軸線方向と平行に貫通する複数の通孔が設けられており、通孔内部には絶縁管が設けられ、絶縁管に温度センサの電線が通されているものは、伝熱部材が金属等の良導体であっても、温度センサの電極間の短絡あるいは漏電を防止することができる。
また、電気ヒータの熱は、伝熱部材によって施術体に伝わるので、施術部の熱応答性に優れており、施術部はごく短時間で設定温度に達する。
【００１５】
伝熱材がゲル状のシリコン樹脂であるものは、ハンマで皮膚面を叩く操作をするときに衝撃が加わっても、シリコン樹脂が温度センサに伝わる衝撃力を一部吸収することができるので、温度センサが破損しにくい。
【００１６】
電気ヒータと収容空間部の内壁面との間に断熱空間部が設けられているものは、ハンマ本体の施術部以外の施術に関係のない部分を無意味に加熱することがないので、施術終了後に電源を落としたときは、施術部は速やかに冷却され、片づけが手早くできる。
【００１７】
本発明に係る電気温灸器は、ハンマの施術部の温度を設定温度を保つように制御することができるので、施術中に皮膚に熱を奪われても直ぐに設定温度まで上がるので、施術部の温度を設定温度に正確に保つことができる。
従って、治療において施術部の温度を段階的に徐々に上げて身体を慣らしていくことが容易にでき、治療の大きな効果が期待できる。
【００１８】
【発明の実施の形態】
本発明を図面に示した実施の形態に基づき更に詳細に説明する。
図１は本発明に係る電気温灸器の実施形態を示す概略斜視図、
図２はハンマの構造を示し柄を一部省略した正面図、
図３はハンマ本体の内部構造を示し電線を一部省略した断面説明図、
図４は施術体の先端部の構造を示す拡大断面図、
図５は施術体の収容空間部に装着される伝熱部材の構造を示し、（ａ）は左側面図、（ｂ）はＩ−Ｉ断面図、（ｃ）は右側面図である。
【００１９】
電気温灸器Ａは、ハンマ１と収容ケース５を備えている。ハンマ１の構造については、後で詳細に説明する。
収容ケース５はアタッシュケース状で、容器５０と蓋５１を備えている。蓋５１の内面には、スポンジでつくられたクッション５２が設けられている。
容器５０のヒンジ側には、ハンマ１を延長コード６と共に収容するハンマ収容部５３が設けられている。なお、符号７は商用電源の交流１００Ｖに接続する電源コードである。
【００２０】
容器５０のハンドル５４側には、操作盤５５が設けられている。操作盤５５には、操作部が各種設けられており、５５１は電源スイッチ、５５２はハンマ本体１２の施術部１３１の温度を設定する温度設定つまみ、５５３は温度表示部、５５４は施術部１３１の温度レベル表示器、５５５は治療時間の設定をする時間設定つまみ、５５６は治療の経過時間を表示する時間表示部、５５７は設定時間が経過したときに報知する終了報知部の入・切操作を行う入・切スイッチ、５５８は報知用のスピーカ（またはブザー）である。
なお、後述するハンマの施術部の温度は、電気ヒータへの通電を入・切することによって設定温度に保つように温度制御装置（図示省略）で制御されるようになっている。
【００２１】
次に、図２ないし図５を参照して、ハンマ１の構造を詳細に説明する。
ハンマ１は、持ち手１０と、その先端に設けられている円筒形状の柄１１及び更にその先端部に設けられているハンマ本体１２を備えている。
なお、持ち手１０の基部から延長されている延長コード６は、後述する温度センサからの電線と電気ヒータからの電線をまとめて操作盤５５の電源部（図示省略）に接続する。
【００２２】
ハンマ本体１２は、真鍮製の施術体１３、プラスチックであるポリアセタール製の基部胴体１４、真鍮製の伝熱部材１５、電気ヒータ１６及び温度センサ１７により構成されている。
【００２３】
（基部胴体１４）
基部胴体１４は、ほぼ円筒形状であり、先端部の内周部には、口縁部から所定の長さで、径大となった雌ネジ部１４０が設けられている。基部胴体１４の後端部には、固定ネジ１４１（図２に図示、図３では図示省略）を通すための通孔１４２が貫通して設けられている。また、基部胴体の後端部寄りの周壁部には、内外面を貫通して、上記した柄１１の先端部を差し込み固定するための装着孔１４３が設けられている。
基部胴体１４と柄１１は、柄１１を装着孔１４３に差し込み、通孔１４２の外部から固定ネジ１４１を通し、固定ネジ１４１を柄１１の先部に設けてあるネジ孔（図示省略）にねじ込んで連結される。
【００２４】
（施術体１３）
施術体１３は、先部に本質的に尖った尖部１３０を有している。尖部１３０の先端部は半径１ｍｍ（＝１Ｒ）で丸く仕上げてあり、この部分が施術の際に皮膚面と接触する施術部１３１となっている。
施術体１３の後部側はほぼ円筒形状に形成されている。後端部の外周部には、口縁部から所定の長さで、径小となった雄ネジ部１３２が設けられている。
施術体１３は、雄ネジ部１３２を雌ネジ部１４０にねじ込んで、上記した基部導体１４と一体化されている。
施術体１３の尖部１３０と施術部１３１は隙間のない一体構造であり、内部に影響を与えなることなく、先端の洗浄や消毒が可能である。
【００２５】
施術体１３の後端部から先部へ向けて設けられている収容空間部１３３は、先端部が施術部１３１近傍まで延長されている。その先端部は、尖って形成されており、先部空間部１３４となっている。先部空間部１３４には、ゲル状のシリコン樹脂１３５（図４に図示、図３では図示省略）が適量充填されている。シリコン樹脂１３５は、熱を良好に伝える性質があり、シリコン樹脂１３５の温度は、シリコン樹脂１３５が接触する施術部１３１裏側の温度（実質的に施術部１３１の温度と同じ）とほぼ同じになる。
【００２６】
（伝熱部材１５）
収容空間部１３３の径大部の先端部には、ほぼ円筒形状で電気ヒータ１６を保持するための伝熱部材１５が装着されている。伝熱部材１５のヒータ装着孔１５０の先端側には、電気ヒータ１６の先端部を止めるストッパー１５１が設けられている。
また、伝熱部材１５には、軸線方向と平行に貫通する通孔１５２が直径線上に二箇所に設けられている。各通孔１５２の内部には、絶縁チューブ１５３がそれぞれ収容されている。各絶縁チューブ１５３には、後述する温度センサ１７の電線１７０が通されている。これにより、電線１７０の心線が万一露出しても、電線１７０がつながる電極が伝熱部材１５を介して短絡したり、漏電したりすることはなく、安全に使用できる。
【００２７】
（温度センサ１７）
温度センサ１７は、上記したシリコン樹脂１３５に接するように、または含まれるように、または埋まるようにして、先部空間部１３４の内部に設けられている（図４参照）。
温度センサ１７の二箇所の電極（図示省略）から延長される各電線１７０は、それぞれ絶縁チューブ１５３を通って伝熱部材１５を貫通し、後方へ延長されている。
【００２８】
（電気ヒータ１６）
電気ヒータ１６は、上記伝熱部材１５のヒータ装着孔１５０に一端側を差し込んで装着されている。電気ヒータ１６は外表面が絶縁タイプのものが使用されている。電気ヒータ１６後部の二箇所の電極（図示省略）からは電線１６０が延長されている。
二本の電線１６０と、上記した温度センサ１７の二本の電線１７０は、柄１１内部を通り、持ち手１０の内部で被覆チューブにまとめられ、その延長コード６は施術するのに十分な長さをもって延長され、上記したように操作盤５５の電源部（図示省略）に接続される。
【００２９】
（作  用）
図１ないし図５を参照して、本実施の形態に係るハンマ１及び電気温灸器Ａの作用を説明する。
（１）電気温灸器Ａの収容ケース５の蓋５１を開け、延長コード６を伸ばしてハンマ１を取り出す。
（２）電源スイッチ５５１を投入し、温度設定つまみ５５２でハンマ１の施術部１３１の温度を例えば４０℃に設定する。施術部１３１の温度は上昇し、ごく短時間で４０℃になる。施術部１３１の温度は、温度表示部５５３で確認することができる。
【００３０】
（３）時間設定つまみ５５４で施術する時間を例えば１０分に設定する。経過時間は、時間表示部５５で確認することができる。温度と時間の設定ができたところで、患者に対し施術を開始する。
（４）施術者はハンマ１の持ち手１０を持ち、患者の全身の皮膚をハンマ１で軽く叩いていく。患者の皮膚には、施術部１３１の熱による刺激と、叩くことによる刺激が同時に加わる。このようにして、末梢神経と中枢神経とのインパルスのやりとりを人為的かつ強制的につくり出し、働きが悪くなっている神経の正常化を図る。
【００３１】
（５）設定した１０分間が経過すると、終了報知部５５６により終了を知らせる音楽または音声が流れ、時間が経過したことを施術者に報知する。これにより、施術者は患者に対する施術を終了する。また、施術する時間だけ、音楽が流れるようにすることもできる。
電気温灸器Ａを使用した施術の方法は上記したとおりであるが、施術に伴うハンマ１の内部の作用について次に説明する。
【００３２】
ハンマ１は、温度センサ１７が施術体１３の先端部にある施術部１３１近傍に内蔵されており、しかも、収容空間部１３３の先端部には伝熱対であるシリコン樹脂１３５を充填している。そして、温度センサ１７は、施術部１３１の温度とほぼ同じ温度になるシリコン樹脂１３５に触れて温度を計るようになっている。
これにより、温度センサ１７によって、施術部１３１の正確な温度を計ることができる。
なお、電気ヒータ１６の熱は、伝熱部材１５から施術体１３に伝わるので、施術部１３１の熱応答性に優れており、施術部１３１は上記したようにごく短時間で設定温度に達する。
【００３３】
伝熱材がゲル状のシリコン樹脂１３５であるので、ハンマ１で皮膚面を叩く操作をするときに衝撃が加わっても、シリコン樹脂１３５が温度センサ１７に伝わる衝撃力を一部吸収することができるので、温度センサ１７が破損しにくい。
【００３４】
電気ヒータ１６と収容空間部１３３の内壁面との間に断熱空間部１８が形成されるので、ハンマ本体１２の施術部１３１以外の施術に関係のない部分を無意味に加熱することがない。従って、施術終了後に電源を落としたときは、施術部は速やかに冷却され、片づけが手早くできる。
【００３５】
また、電気ヒータ１６が商用電源の交流１００Ｖを使用して加熱されるものであるので、従来の直流１２Ｖとは相違して、電気ヒータ１６はごく短時間で加熱される。更に、交流を直流に変換するアダプタも不要になるので、電気温灸器Ａも軽量化できる。
【００３６】
更に電気温灸器Ａは、ハンマ１の施術部１３１の温度を設定温度を保つように制御することができ、施術中に皮膚に熱を奪われても直ぐに設定温度まで上がるので、施術部１３１の温度を設定温度に正確に保つことができる。
従って、治療において施術部１３１の温度を段階的に徐々に上げて身体を慣らしていくことが容易にでき、治療の大きな効果が期待できる。
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３７】
【発明の効果】
（ａ）本発明に係る電気温灸器用ハンマは、温度センサが施術体の先端部寄りに内蔵されており、しかも、収容空間部の先端部に充填され、施術部の温度とほぼ同じ温度になる伝熱材に触れて温度を計るようになっているので、施術部の正確な温度を計ることができる。
【００３８】
（ｂ）伝熱部材は、電気ヒータを装着する装着孔を有する円筒形状であり、軸線方向と平行に貫通する複数の通孔が設けられており、通孔内部には絶縁管が設けられ、絶縁管に温度センサの電線が通されているものは、伝熱部材が金属等の良導体であっても、温度センサの電極間の短絡あるいは漏電を防止することができる。
また、電気ヒータの熱は、伝熱部材から施術体に伝わるので、施術部の熱応答性に優れており、施術部はごく短時間で設定温度に達する。
【００３９】
（ｃ）伝熱材がゲル状のシリコン樹脂であるものは、ハンマで皮膚面を叩く操作をするときに衝撃が加わっても、シリコン樹脂が温度センサに伝わる衝撃力を一部吸収することができるので、温度センサが破損しにくい。
【００４０】
（ｄ）電気ヒータと収容空間部の内壁面との間に断熱空間部が設けられているものは、ハンマ本体の施術部以外の施術に関係のない部分を無意味に加熱することがないので、施術終了後に電源を落としたときは、施術部は速やかに冷却され、片づけが手早くできる。
【００４１】
（ｅ）本発明に係る電気温灸器は、ハンマの施術部の温度を設定温度を保つように制御することができるので、施術中に皮膚に熱を奪われても直ぐに設定温度まで上がるので、施術部の温度を設定温度に正確に保つことができる。
従って、治療において施術部の温度を段階的に徐々に上げて身体を慣らしていくことが容易にでき、治療の大きな効果が期待できる。
【図面の簡単な説明】
【図１】  本発明に係る電気温灸器の実施形態を示す概略斜視図。
【図２】  ハンマの構造を示し柄を一部省略した正面図。
【図３】  ハンマ本体の内部構造を示し電線を一部省略した断面説明図。
【図４】  施術体の先端部の構造を示す拡大断面図。
【図５】  施術体の収容空間部に装着される伝熱部材の構造を示し、（ａ）は左側面図、（ｂ）はＩ−Ｉ断面図、（ｃ）は右側面図。
【図６】  従来の電気温灸器に使用されているハンマの構造を示す断面説明図。
【符号の説明】
Ａ  電気温灸器
１  ハンマ
１０  持ち手
１１  柄
１２  ハンマ本体
１３  施術体
１３０  尖部
１３１  施術部
１３２  雄ネジ部
１３３  収容空間部
１３４  先部空間部
１３５  シリコン樹脂
１４  基部胴体
１４０  雌ネジ部
１４１  固定ネジ
１４２  通孔
１４３  装着孔
１５  伝熱部材
１５０  ヒータ装着孔
１５１  ストッパー
１５２  通孔
１５３  絶縁チューブ
１６  電気ヒータ
１６０  電線
１７  温度センサ
１７０  電線
１８  断熱空間部
５  収容ケース
５０  容器
５１  蓋
５２  クッション
５３  ハンマ収容部
５４  ハンドル
５５  操作盤
５５１  電源スイッチ
５５２  温度設定つまみ
５５３  温度表示部
５５４  温度レベル表示器
５５５  時間設定つまみ
５５６  時間表示部
５５７  終了報知部の入・切スイッチ
５５８  スピーカ
６  延長コード
７  電源コード
【図１】
0004066684.tif 000002
【図２】
0004066684.tif 000003
【図３】
0004066684.tif 000004
【図４】
0004066684.tif 000005
【図５】
0004066684.tif 000006
【図６】
0004066684.tif 000007